(57)【特許請求の範囲】
【請求項１】
左右の乳房を覆う前面部と、
前記前面部に連なる背面部と、
前記前面部の上端及び前記背面部の上端に連なる左右のストラップと、
前記前面部の内側に配置され、かつ前記前面部よりも伸縮性が低い生地で構成された押圧部とを備え、
前記押圧部は、前記前面部の上端における左右のストラップの間に位置する部分、及び、前記前面部の上端における左右のストラップのそれぞれと背面部との間に位置し、かつ前記前面部の頂部よりも上方に位置する部分と縫着されると共に、下端が遊離し、
前記押圧部は、前記前面部の上端における左右のストラップの間に位置する部分全体に沿って連なるように途中で途切れずに配置される、ブラジャー。
【請求項２】
前記前面部及び前記背面部の下端に接続されたアンダー部と、
前記前面部の内側に配置され、かつ前記前面部よりも伸縮性が低い生地で構成され、かつ前記左右の乳房の外周のそれぞれを上部から両横にかけて囲み、かつ前記アンダー部と接続された乳房外周部とをさらに備えた、請求項１に記載のブラジャー。
【発明の詳細な説明】
【技術分野】
【０００１】
本発明は、ブラジャーに関し、より特定的には運動時に着用するスポーツ用ブラジャーに関する。
【背景技術】
【０００２】
スポーツを行う時に着用するブラジャーとして、例えば特許２９３０９３２号公報（特許文献１）などが知られている。この特許文献１には、運動時の乳房の揺れ動きを抑制することを目的として、着用状態で乳頭が位置するトップ領域から、脇側下部領域と、脇側上部領域と、乳房の前中心側下部領域と、前中心側上部領域と、乳房の乳頭上方部分とのそれぞれに向けて放射状に延びる保護テープが左右のカップ部に配置されたブラジャーが開示されている。
【先行技術文献】
【特許文献】
【０００３】
【特許文献１】特許２９３０９３２号公報
【発明の概要】
【発明が解決しようとする課題】
【０００４】
しかしながら、上記特許文献１に開示されたブラジャーを着用して運動する時に、保護テープにより乳房の揺れを抑制できるものの、着用時の圧迫感が強く、着用感が悪いという問題がある。なお、本発明者は、上記特許文献１に開示のブラジャーの着用感が悪いという問題は、乳頭を中心に保護テープが配置されていることに起因すると考えている。
【０００５】
本発明は、上記問題点に鑑み、乳房の揺れを抑制すると共に、着用感を向上するブラジャーを提供することを課題とする。
【課題を解決するための手段】
【０００６】
本発明のブラジャーは、左右の乳房を覆う前面部と、該前面部に連なる背面部と、該前面部の上端及び該背面部の上端に連なる左右のストラップと、該前面部の内側に配置され、かつ該前面部よりも伸縮性が低い生地で構成された押圧部とを備え、該押圧部は、該前面部の上端における左右のストラップの間に位置する部分、及び、該前面部の上端における左右のストラップのそれぞれと背面部との間に位置し、かつ該前面部の頂部よりも上方に位置する部分と縫着されると共に、下端が遊離し、該押圧部は、前面部の上端における左右のストラップの間に位置する部分全体に沿って連なるように配置される。
【０００７】
乳房の揺れを抑制することのみを考慮する場合には、乳房全体を押圧すればよい。しかし、乳房全体を押圧すると、着用時の締め付けによる圧迫感が強くなる。このため、圧迫感を軽減し、かつ、乳房の揺れを抑制するために、本発明者は、乳房を押さえる位置及び生地を鋭意研究した結果、乳房の上方を押圧することが効果的であることを見出した。そこで、本発明のブラジャーでは、前面部の上端における左右のストラップの間に位置する部分、及び、前面部の上端における左右のストラップのそれぞれと背面部との間に位置し乳頭よりも上方の部分に、前面部よりも伸縮性が低く、かつ前面部の上端における左右のストラップの間に位置する部分全体に沿って連なるように押圧部が配置されている。
押圧部は、前面部よりも伸縮性が低い生地で構成されると共に、左右の乳房の乳頭よりも上方に配置されるので、着用時に押圧部に加えられる力で、効果的に乳房の上方を押さえることができる。このため、着用時に乳房の揺れを抑制することができる。
また、押圧部は、前面部の頂部よりも上方の部分と縫着されると共に下端が遊離しているので、左右の乳房の乳頭よりも下方を押さえつけることを抑制できる。これにより、乳頭近傍の圧迫感を軽減できるので、着用感を向上できる。
以上より、本発明のブラジャーは、乳房の揺れを抑制できると共に、着用感を向上できる。
【０００８】
上記ブラジャーにおいて好ましくは、上記前面部及び上記背面部の下端に接続されたアンダー部と、上記前面部の内側に配置され、かつ上記前面部よりも伸縮性が低い生地で構成され、かつ左右の乳房の外周のそれぞれを上部から両横にかけて囲み、かつ該アンダー部と接続された乳房外周部とをさらに備えている。
【０００９】
乳房外周部及びアンダー部により、乳房の左右及び下を押圧することができ、押圧部により乳房の上を押圧することができる。このため、乳房の外周全体を押圧することができるので、乳房の揺れをより抑制することができる。
【発明の効果】
【００１０】
以上説明したように、本発明は、乳房の揺れを抑制すると共に、着用感を向上するブラジャーを提供することができる。
【図面の簡単な説明】
【００１１】
【図１】本発明の実施の形態１におけるブラジャーを概略的に示す斜視図である。
【図２】本発明の実施の形態２におけるブラジャーを概略的に示す斜視図である。
【図３】実施例におけるマーカーのセット位置及び振幅量を説明するための模式図である。
【図４】実施例における振幅量を示すグラフである。
【発明を実施するための形態】
【００１２】
以下、図面に基づいて本発明の実施の形態を説明する。なお、以下の図面において同一または相当する部分には同一の参照符号を付し、その説明は繰り返さない。
【００１３】
（実施の形態１）
図１を参照して、本発明の一実施の形態におけるブラジャー１０について説明する。図１に示すように、本発明の実施の形態におけるブラジャー１０は、前面部１１と、背面部１２と、アンダー部１３と、左右のストラップ１４と、押圧部１５と、乳房外周部１６と、遮蔽部１７とを備えている。
【００１４】
前面部１１は、左右の乳房を覆い、最表面に位置する。つまり、前面部は、着用時に、前面側に露出する生地である。前面部１１は、例えば、動きに追従して体にフィットする生地であることが好ましく、特に軽量化及び通気性の観点から、ポリウレタン糸と、ポリエステル糸やナイロン糸などから編成された天竺編地が好ましい。
【００１５】
背面部１２は、脇部で前面部１１に連なり、両脇部から背面に延在している。背面部１２は、前面部１１と脇部で縫着されていてもよく、前面部１１と連続する生地（前面部１１と縫着されず、接ぎ合わされていない生地）であってもよい。背面部１２は、動きやすさの観点から、伸縮性を有する生地であることが好ましく、例えばポリウレタン糸と、ポリエステル糸やナイロン糸などからなるメッシュ生地が好ましい。
また、背面部１２は、単一の生地で構成されていてもよく、複数枚の生地で構成されていてもよい。なお、背面部１２には、着脱自在なホック等の係止部材を含んでいてもよい。
【００１６】
アンダー部１３は、前面部１１及び背面部１２の下端に接続されている。アンダー部１３は、例えば、着用時にブラジャー１０が上へ移動することを抑制する観点から、伸縮性を有すると共に、適度に締め付ける生地またはゴムが好適に用いられ、例えばニードル織機で生産される織ゴムや経編機で生産される編ゴム（平ゴム）等のゴム入りの細巾織物や編物（平ゴム）などが使用できる。本実施の形態では、アンダー部１３の上端は、前面部１１及び背面部１２の下端と縫着されている。
【００１７】
左右のストラップ１４のそれぞれは、前面部１１の上端及び背面部１２の上端に連なり、左右の肩に掛け渡される。本実施の形態の左右のストラップ１４は肩ひもであり、前面部１１の上端及び背面部１２の上端に縫着されている。左右のストラップ１４は、前面部１１及び背面部１２と縫着などにより接続されていてもよく、前面部１１及び背面部１２の少なくとも一方と、接ぎ合わされていない一枚の布で連続するように形成されていてもよい。
【００１８】
左右のストラップ１４のそれぞれは、例えば、動きに追従する観点から伸縮性を有する生地の肩ひもであり、メッシュ生地、ストレッチテープやゴム糸を編みこんだゴムテープなどが使用できる。なお、左右のストラップ１４は、例えば長さを調節する調節部を含んでいてもよい。
【００１９】
押圧部１５（図１において一点鎖線で囲まれるドットが付された領域）は、胸部において乳頭よりも上部を押さえるものであり、前面部１１の内側であって、前面部１１の上端における左右のストラップの間に位置する部分１１ａ全体に沿って連なる（途中で途切れていない）ように配置されている。つまり、押圧部１５は、襟ぐり部分全体及びその下方（ただし乳頭より上方）を覆うように配置された、連続した（途中で途切れていない）生地である。
【００２０】
押圧部１５は、前面部１１の上端における左右のストラップ１４の間に位置する部分１１ａ（つまり襟ぐり部分）、及び、前面部１１の上端における左右のストラップ１４のそれぞれと背面部１２との間（つまり脇部分）に位置し、かつ前面部１１の頂部よりも上方に位置する部分１１ｂと縫着されている。言い換えると、前面部１１の上端における左右のストラップ１４との接続点間に位置する部分１１ａ、及び、前面部１１の上端における左右のストラップ１４の接続点のそれぞれと背面部１２の接続点との間に位置し、かつ前面部１１の頂部よりも上方に位置する部分１１ｂと縫着されている。さらに言い換えると、押圧部１５は、襟ぐり部分、及び、脇部分において乳頭よりも上方に位置する部分と縫着されている。なお、前面部１１の上端における左右のストラップ１４の間に位置する部分１１ａは、前面部１１において、左右のストラップ１４と接続される部分を含む。
【００２１】
前面部１１の上端における左右のストラップ１４と背面部１２との間に位置する部分において押圧部１５が縫着されている長さは、前面部１１の上端における左右のストラップ１４と背面部１２との間に位置する部分の長さの１／２以下であることが好ましく、１／３以下であることがより好ましい。この場合、ブラジャー１０の着用時に、乳房の揺れを抑制しつつ、着用感を効果的に向上できる。
なお、「前面部１１の上端における左右のストラップ１４と背面部１２との間に位置する部分において押圧部１５が縫着されている長さ」とは、押圧部１５の上端における左右のストラップ１４との接続点（前面部１１の脇部の上端との接続点）から前面部１１の脇部における下端１５ａまでの長さである。
【００２２】
また、前面部１１の頂部とは、着用時に左右の乳房の乳頭に位置する部分であり、ブラジャー１０を平面に載置したときに、載置面から最も高い部分である。
【００２３】
押圧部１５の下端１５ａは、遊離している。言い換えると、押圧部１５の下端１５ａは、他の生地と縫着されていない。さらに言い換えると、押圧部１５の下端縁全体が遊離している。本実施の形態では、押圧部１５の上端のみが前面部１１と縫着されており、押圧部１５において上端を除く領域は、遊離している。
【００２４】
押圧部１５は、前面部１１の襟ぐり部分である部分１１ａ全体と、前面部１１の乳頭より上方の左右の脇部である部分１１ｂと、左右の部分１１ｂの下端点を結ぶ下端で囲まれる形状である。本実施の形態の押圧部１５は、前面部１１の上端に沿った形状であり、略Ｕ形状である。押圧部１５の幅は一定であってよく、異なっていてもよい。
【００２５】
押圧部１５は、前面部１１よりも伸縮性が低い。押圧部１５は、接ぎ合わされた生地であってもよいが、接ぎ合わされていない１枚の生地で構成されていることが好ましい。押圧部１５は、乳房の上下方向の揺れを抑制する観点から、左右方向の伸縮性が上下方向の伸縮性よりも低い生地であることがより好ましく、更に言えば、キックバック性に優れた生地であればより一層好ましい。このような生地として、例えば、パワーネットや経緯に伸長するツーウェイトリコットなどが挙げられる。
また、押圧部１５がパワーネットの場合、ブラジャー１０を着用する時に加えられる力（押圧部１５が引っ張られる力）を利用して、乳房の上部を効果的に押圧することができるので、乳房の上下方向の揺れを効果的に抑制できる。
【００２６】
なお、上記伸縮性は、例えば、ＪＩＳ  Ｌ  １０９６  ８．１４  Ａ法（ストリップ法）に準拠して測定される伸度により評価できる。
【００２７】
また、押圧部１５は、切りっぱなしの生地で構成されていてもよい。この場合、生地の端縁の処理が不要であるので、縫製による生地の伸びが抑制されないので、乳房の揺れを抑制する効果を高めることができる。
なお、上記「切りっぱなしの生地」とは、裁ち目が解かれることを防止するために縁の始末が不要な生地を意味する。切りっぱなしの生地としては、例えば、特開２００３−２０１６５４号公報、特開２００５−３２０６４２号公報、特開２００７−１３１９５６号公報、特開２００８−６９４８６号公報、特開２００８−１８４７０２号公報、特開２００８−２４０１８３号公報などに記載されている生地を用いることができる。
【００２８】
乳房外周部１６（図１において点線で囲まれる領域）は、前面部１１の内側に配置されており、本実施の形態では、押圧部１５の内側に配置されている。乳房外周部１６は、着用時に左右の乳房の揺れを抑制する。
【００２９】
乳房外周部１６は、左右の乳房の外周のそれぞれを上部から両横にかけて囲み、かつアンダー部１３と接続されている。本実施の形態では、乳房外周部１６は、前面部１１と左右のストラップ１４との接合位置でそれぞれ縫着され、それぞれの接合位置から、左右の乳房の左右の外周を囲むように２つのひも形状の生地がアンダー部１３まで延在し、それぞれ２つ（合計４つ）のひも形状の生地がアンダー部１３でそれぞれ縫着され、上端及び下端を除く延在部分では縫着されていない。つまり、乳房外周部１６において、乳房上部及び乳房下部に位置する部分のみが縫着され、その他の部分は遊離している。
【００３０】
乳房外周部１６は、前面部１１よりも伸縮性が低く、かつ接ぎ合わされていない１枚の生地で構成されている。乳房外周部１６は、左右方向の伸縮性が上下方向の伸縮性よりも低い生地であることが好ましい。左右方向の伸縮性が相対的に低いことにより、左右方向の揺れを抑制でき、上下方向の伸縮性が大きいことにより、運動追従性が高まるので着用感を向上できる。このような生地として、例えば、ＪＩＳ  Ｌ  １０１８試験による定荷重時伸び率（カットストリップ法、試験片の大きさ：幅２．５ｃｍ×長さ２０ｃｍ、荷重９．８１Ｎ）が、縦２３０〜３４０％で、横６５％〜１４０％の編地が挙げられ、ラッセル編地であることが好ましい。
【００３１】
なお、乳房外周部１６は、切りっぱなしの生地で構成されていてもよい。この場合、生地の端縁の処理が不要であるので、縫製による生地の伸びが抑制されないので、乳房の揺れを抑制する効果を高めることができる。
【００３２】
遮蔽部１７（図１において二点鎖線で囲まれる領域）は、前面部１１の内側に配置されており、本実施の形態では、乳房外周部１６の内側に配置されている。遮蔽部１７は、乳頭が前面部１１から透けて見えることを防止する。
【００３３】
遮蔽部１７は、アンダー部１３から前面部１１の頂部を覆う高さまで延びるように配置されており、本実施の形態では、前面部１１の左右の脇部間を延在するように配置されており、中心側（着用時に体の中心に近い側）の高さが左右の脇部の高さよりも低い。
【００３４】
遮蔽部１７は、例えば、前面部１１を補強して乳房を支えると共に、前面部１１から乳頭が透けて見えることを防止する観点から、所定の強度を有する透けない生地であり、肌触り及び厚み等の観点から、不織布が好ましい。
【００３５】
ブラジャー１０は、遮蔽部１７の内側に配置された裏地（図示せず）をさらに備えていてもよい。裏地は、例えば、前面部１１と略同様の形状であり、背面部１２の裏面及び左右のストラップ１４の裏面と接合されている。裏地は、通気性及び肌触りの良好な生地が好ましい。
【００３６】
本実施の形態のブラジャー１０は、裏地上に配置された遮蔽部１７と、遮蔽部１７上に配置された乳房外周部１６と、乳房外周部１６上に配置された押圧部１５と、押圧部１５上に配置された前面部１１とを備えた構造を例に挙げて説明したが、本発明のブラジャーは、乳房外周部１６、遮蔽部１７及び裏地の少なくとも１つは省略されてもよく、また、押圧部１５、乳房外周部１６、遮蔽部１７及び裏地の配置順は変更されてもよい。
【００３７】
以上説明したように、本実施の形態におけるブラジャーは、左右の乳房を覆う前面部１１と、前面部１１に連なる背面部１２と、前面部１１の上端及び背面部１２の上端に連なる左右のストラップ１４と、前面部１１の内側に配置され、かつ前面部１１よりも伸縮性が低い生地で構成された押圧部１５とを備え、押圧部１５は、前面部１１の上端における左右のストラップ１４の間に位置する部分１１ａ、及び、前面部１１の上端における左右のストラップ１４のそれぞれと背面部１２との間に位置し、かつ前面部１１の頂部よりも上方に位置する部分１１ｂと縫着されると共に、下端１５ａが遊離し、押圧部１５は、前面部１１の上端における左右のストラップ１４の間に位置する部分１１ａ全体に沿って連なるように配置されている。
【００３８】
本実施の形態におけるブラジャー１０によれば、前面部１１の上端における左右のストラップ１４の間に位置する部分１１ａ全体、及び、前面部１１の上端における左右のストラップ１４と背面部１２との間に位置し、かつ前面部１１の頂部よりも上方に位置する部分１１ｂに、前面部１１よりも伸縮性が低い生地である押圧部１５が配置されている。これにより、左右の乳房の乳頭よりも上方に押圧部１５を配置することができるので、着用時に押圧部１５に加えられる力を効果的に乳房の上方を押さえる力として作用させることができる。このため、ブラジャー１０を着用した状態で動作する時に乳房の揺れ、特に上下方向の揺れを抑制することができる。
また、押圧部１５は、前面部１１の頂部よりも上方の部分と縫着されると共に下端１５ａが遊離しているので、乳房の乳頭よりも下方を押さえつけることを抑制できる。これにより、乳頭及びその近傍に加えられる圧迫感を軽減できるので、ブラジャー１０の着用感を向上できる。
以上より、本実施の形態のブラジャー１０は、乳房の揺れを抑制できると共に、着用感を向上できる。
【００３９】
このように、本実施の形態のブラジャー１０は、乳房の揺れを抑制できると共に、着用感を向上できるので、運動時に着用するスポーツ用ブラジャーとして好適に用いられる。また、運動としては、軽い運動から、激しい運動まで幅広く適用することができる。なお、本発明のブラジャーは、運動時以外に着用しても、乳房の揺れを抑制することができると共に、着用感を向上することができるので、スポーツ用に特に限定されない。
【００４０】
本実施の形態におけるブラジャー１０において好ましくは、前面部１１及び背面部１２の下端に接続されたアンダー部１３と、前面部１１の内側に配置され、かつ前面部１１よりも伸縮性が低い生地で構成され、かつ左右の乳房の外周のそれぞれを上部から両横にかけて囲み、かつアンダー部１３と接続された乳房外周部１６とをさらに備えている。
【００４１】
乳房外周部１６により、乳房の左右及び下方を押圧することができるので、特に左右方向の揺れを抑制できる。押圧部１５により、乳房の上を押圧することができるので、特に上下方向の揺れを抑制できる。このため、乳房の外周全体を押圧することができ、乳房の左右方向及び上下方向の揺れを抑制することができるので、乳房の揺れをより抑制することができる。
【００４２】
本実施の形態のブラジャー１０において好ましくは、押圧部１５は接ぎ合わされていない１枚の生地で構成されている。接ぎ合わされた布を用いた場合、及び、押圧部の所定の上端及び下端（幅方向）と前面部とを縫着した場合と比べて、接ぎ合わされていない１枚の生地を用いた場合、上下方向の乳房の揺れを抑制できるという効果が大きいという知見を本発明者は得ている。
【００４３】
（実施の形態２）
図２に示すように、本発明の実施の形態２におけるブラジャー２０は、基本的には図１に示す実施の形態１におけるブラジャー１０と同様であるが、乳房外周部において異なる。
【００４４】
具体的には、図２に示すように、左右の乳房外周部２６（図２における点線で囲まれる領域）のそれぞれは、接ぎ合わされていない１枚の生地で構成されている。また、左右の乳房外周部２６の各々と、左右のストラップ１４の各々とは、接ぎ合わされていない１枚の生地で構成されている。具体的には、左の乳房外周部２６と左のストラップ１４とは接ぎ合わされていない１枚の生地で構成され、右の乳房外周部２６と右のストラップ１４とは接ぎ合わされていない１枚の生地で構成され、左右の乳房外周部２６と左右のストラップ１４との縫着による境界（切り替え）は形成されていない。このため、本実施の形態の左右の乳房外周部２６は、左右の乳房よりも上方から左右の乳房に向けて１本のひも形状の生地が延在し、左右の乳房の上部で二股に分かれ、２本のひも形状の生地は、左右の乳房の上部から両横にかけて囲みつつアンダー部１３まで延在している。つまり、左右の乳房外周部２６のそれぞれは、略逆Ｙ形状である。
【００４５】
以上説明したように、本実施の形態におけるブラジャー２０は、左右のストラップ１４と連なり、かつ左右の乳房のそれぞれを上部から両横にかけて囲み、かつアンダー部１３と接続されており、かつ接ぎ合わされていない１枚の生地で構成されている乳房外周部２６を備えている。これにより、ブラジャー２０の着用時に乳房外周部２６に加えられる力で効率的に乳房の外周を保持することができる。
【実施例】
【００４６】
本実施例では、押圧部を備えることによる効果について調べた。
【００４７】
（本発明例１）
本発明例１は、図１に示す実施の形態１のブラジャー１０とした。つまり、本発明例１のブラジャーは、押圧部１５及び乳房外周部１６を備えていた。
【００４８】
（比較例１）
比較例１は、基本的には本発明例１と同様であったが、本発明例１において押圧部１５が省略されていた点において異なっていた。
【００４９】
（比較例２）
比較例２は、基本的には本発明例１と同様であったが、本発明例１において押圧部１５及び乳房外周部１６が省略されていた点において異なっていた。
【００５０】
（試験方法）
本発明例１、比較例１及び２のブラジャーを成人女性被験者７人が着用した状態で、それぞれのブラジャーの上から、図３に示すように乳頭ＢＴ及び鎖骨ＣＢに再帰反射マーカーをセットした。３０ｃｍ四方の枠内で、メトロノーム（１３５ｂｅａｔ／分）に合わせて約３０歩のその場ジョギングを行い（腕は下垂、視点は正面、足は前方に振り出すようにする）、左右の乳房の揺れをハイスポードカメラで撮影した。ジョギングの中間の１０歩を採用し、乳頭ＢＴの最上位及び最下位のときの鎖骨ＣＢと乳頭ＢＴとの距離Ｌを計測し、その距離Ｌを振幅量とした。１０歩のうちの最大値及び最小値を除いた８歩の振幅量の平均値を求めた。その結果を図４に示す。
【００５１】
また、本発明例１、比較例１及び２のブラジャーを着用した成人女性被験者７人に、着用感として、「かなり圧迫感がある」、「少し圧迫感がある」、「ちょうどよい」、「ゆるい」、「とてもゆるい」の５項目のうち、どの項目に当てはまるかを調査した。その結果を下記の表１に示す。なお、表１における数値は、項目に当てはまる人数を示す。
【００５２】
【表１】
0005938237.tif 000002
【００５３】
（試験結果）
乳房外周部１６を備えていたが押圧部１５を備えていなかった比較例１のブラジャーは、乳房外周部１６及び押圧部１５を備えていなかった比較例２のブラジャーに比べて、表１に示すように着用感はやや劣るが、図４に示すように振幅量が小さいことから乳房の揺れを抑制できることがわかった。
【００５４】
乳房外周部１６及び押圧部１５を備えていた本発明例１のブラジャーは、乳房外周部１６を備えていたが押圧部１５を備えていなかった比較例１のブラジャーに比べて、表１に示すように着用感はほぼ同じであったが、図４に示すように振幅量がさらに小さいことから乳房の揺れをさらに抑制できることがわかった。
【００５５】
以上の結果より、押圧部１５を備えることにより、着用感を悪化させずに、乳房の揺れを抑制できることが確認できた。
【００５６】
今回開示された実施の形態及び実施例はすべての点で例示であって制限的なものではないと考えられるべきである。本発明の範囲は上記した実施の形態及び実施例ではなくて特許請求の範囲によって示され、特許請求の範囲と均等の意味及び範囲内でのすべての変更が含まれることが意図される。
【符号の説明】
【００５７】
１０，２０  ブラジャー、１１  前面部、１１ａ，１１ｂ  部分、１２  背面部、１３  アンダー部、１４  ストラップ、１５  押圧部、１５ａ  下端、１６，２６  乳房外周部、１７  遮蔽部、ＢＴ  乳頭、ＣＢ  鎖骨、Ｌ  距離。
【図１】
0005938237.tif 000003
【図２】
0005938237.tif 000004
【図３】
0005938237.tif 000005
【図４】
0005938237.tif 000006